【事件の表示】
　特願２００３−３６２６４０「電子カメラ装置」拒絶査定不服審判事件〔平成１６年　２月　５日出願公開、特開２００４−　４０８３５〕について、次のとおり審決する。
【結　論】
　本件審判の請求は、成り立たない。
【理　由】
１．経緯
（１）手続
　本件出願は、平成１０年１月３０日に出願した特願平１０−３４０７３号の一部を平成１５年１０月２３日に新たな特許出願としたものであって、平成１５年１０月２７日付けで手続補正がなされ、平成１６年１０月２７日付けで拒絶理由が通知され、平成１６年１２月２１日付けで手続補正がなされたが、平成１７年６月９日付けで拒絶査定がなされたものである。
　本件は、上記拒絶査定を不服として平成１７年７月１２日付けで請求された拒絶査定不服審判である。
　
（２）査定
　原査定の理由は、概略、以下のとおりである。
［査定の理由］
　本願の請求項１から請求項６に係る発明は、下記刊行物に記載された発明に基づいて当業者が容易に発明をすることができたものであるから、特許法第２９条第２項の規定により、特許を受けることができない。
　
　　　　　　　　　　　記
　刊行物１：特開平７−３８８３８号公報
　刊行物２：特開平３−１３６４７８号公報
　刊行物３：特開昭６０−７９８７８号公報
　刊行物４：特開平７−８７３７９号公報（原査定で周知例として引用）
　
２．本願発明
　本件出願の請求項１から請求項６に係る発明は、本件出願明細書、特許請求の範囲および図面（平成１５年１０月２７日付けおよび平成１６年１２月２１日付けの手続補正書により補正された明細書、特許請求の範囲および図面）の記載からみて、それぞれ特許請求の範囲の請求項１から請求項６に記載したとおりの「電子カメラ装置」であると認められるところ、そのうち、請求項１に係る発明（以下「本願発明」という。）は下記のとおりのものである。
　
　　　　　　　　　　　記（請求項１に係る発明）
　被写体画像を表示する電子ファインダー機能を有する画像表示装置を備えた電子カメラ装置において、
　被写体画像を出力する撮像手段と、
　この撮像手段から出力された被写体画像を記憶する記憶手段と、
　この記憶手段に記憶された被写体画像を記録する記録手段と、
　第１の指示手段と、
　第２の指示手段と、
　モニタ表示モードとモニタ非表示モードとを選択的に設定するキー入力手段と、
　このキー入力手段によりモニタ表示モードとモニタ非表示モードのいずれが設定されているか否かを判別する判別手段と、
　この判別手段によりモニタ表示モードが設定されていると判別された場合、前記画像表示装置に前記撮像手段から出力される被写体画像を表示させる第１の制御手段と、
　前記判別手段によりモニタ非表示モードが設定されていると判別された場合、前記画像表示装置をオフに維持する第２の制御手段と、
　この第２の制御手段により前記画像表示装置がオフに維持されている状態で前記第１の指示手段による指示があった時、前記画像表示装置をオンにした後、前記第１の指示手段による指示時に前記撮像手段から出力され、前記記憶手段に記憶された１画面分の被写体画像を撮影画像として前記画像表示装置に表示させる第３の制御手段と、
　この第３の制御手段により前記画像表示装置に被写体画像が表示されている状態で前記第２の指示手段による指示があった時、前記第１の指示手段による指示時に前記撮像手段から出力され、前記記憶手段に記憶された１画面分の被写体画像を撮影画像として前記記録手段に記録する第４の制御手段と、
を備えたことを特徴とする電子カメラ装置。
　
３．当審の判断
（１）刊行物の記載
　原査定の拒絶の理由に引用された刊行物１（特開平７−３８８３８号公報）には、「電子スチルカメラ」（発明の名称）に関し、図面と共に次に掲げる事項が記載されている。
　（ア）「【０００７】
【課題を解決するための手段】前記課題を解決するため、この発明による電子スチルカメラは、後述の実施例の参照符号を対応させると、撮像素子２１と、この撮像素子からの少なくとも１画面分の映像情報を一時的に記憶する記憶素子２５と、この記憶素子２５に記憶された上記映像情報を再生してモニターするための映像表示素子を含む映像情報再生手段４０と、記憶素子２５に記憶された映像情報の記憶媒体への転送を制御する転送制御手段３０、３１を備えることを特徴とする。
【０００８】
【作用】上記の構成のこの発明によれば、記憶素子２５に一時的に記憶された映像情報を映像表示素子４３上に表示することができて、この映像情報の内容が撮影者により確認され、媒体１に記録する前に、撮影した映像情報の取捨選択が可能となる。
【０００９】
【実施例】以下、図１および図２を参照しながら、この発明による電子スチルカメラの一実施例について説明する。
【００１０】図１は、この発明の一実施例の構成を示すもので、この図１において、レンズ１１に代表される光学系は、前述のように、絞り、光学シャッタ（図示は省略）を備え、それぞれに随伴する制御機構によって、レンズ１１を通ってくる撮像光の露光量が制御される。また、２０は撮像系、３０はシステム制御回路（マイクロコンピュータ）である。
【００１１】撮像系２０には、この例では、ＣＣＤ固体撮像素子２１が搭載される。この撮像素子２１は、電荷蓄積期間などを制御する電子シャッタ機能２１shを備えており、撮像素子２１から出力されるカラー映像信号は、アナログ処理回路２２に供給されて所定の信号処理が施され、Ａ／Ｄ変換器２３において、例えば、８ビット／１画素サンプルのデジタル信号に変換されて、デジタル処理回路２４に供給される。この処理回路２４からの１画面分のデジタル映像信号がフレームメモリ２５に一時的に記憶される。
【００１２】この実施例では、フレームメモリ２５とメモリカード１との間に、例えば、いわゆるＪＰＥＧ方式による、データ圧縮比が可変の圧縮回路２６ｃが介挿され、この圧縮回路２６ｃを通じて、フレームメモリ２５上の映像情報が後述の転送制御に従ってメモリカード１に転送される。」
　
　（イ）「【００１３】また、この例では、２段式のシャッタリリースキー（図示は省略）に連動する、３接点切換えスイッチ３１が設けられる。このスイッチ３１は、シャッターリリースキーが押されないとき、接点ｎに接続され、半押しで接点ｍに接続され、最後まで押し込むと、接点ｒに接続される。
【００１４】システム制御回路３０からは、露出制御信号Ｓexが電子シャッタ２１shに供給されると共に、制御信号Ｓca、Ｓcb、Ｓccがフレームメモリ２５、圧縮・伸長回路２６、メモリカード１にそれぞれ供給される。
【００１５】さらに、この実施例では、再生系４０が設けられる。フレームメモリ２５からのデジタル映像信号が再生処理回路４１に供給されて、所定の信号処理が施され、Ｄ／Ａ変換器４２において、もとのアナログ映像信号に戻されて、電子ビューファインダとしての、液晶表示素子４３に供給される。そして、メモリカード１から読み出された映像情報は、伸長回路２６ｅを通じて、この再生系４０に供給されて、再生が行われ、その再生画が液晶表示素子４３に表示される。」
　
　（ウ）「【００１６】次に、図２をも参照しながら、この発明の一実施例の撮影画像の選択記録動作について説明する。
【００１７】２段式のシャッタリリースキーが押し下げられない初期状態では、切換えスイッチ３１は、接点ｎ側に接続されている。そして、ユーザが２段式のシャッタリリースキーを半押しすると、スイッチ３１が接点ｍ側に切り換えられる。ステップＳ１において、これが検知されると、システム制御回路３０からの制御信号Ｓexにより、電子シャッタ２１shが適宜に開閉されて、撮像素子２１に対し所定の露出が行なわれると共に、システム制御回路３０からの制御信号Ｓcaにより、例えば１フレーム期間にわたって、フレームメモリ２５が書込み状態とされる。
【００１８】この状態で、撮像素子２１からの、１フレーム分の映像情報が、アナログ処理回路２２〜デジタル処理回路２４を通じて、フレームメモリ２５に書き込まれる（ステップＳ２）。つまり、撮像して記録しようとするスチル画がフレームメモリに取り込まれる。
【００１９】次のステップＳ３においては、システム制御回路３０からの制御信号Ｓcaにより、フレームメモリ２５が読み出し状態とされる。そして、このメモリ２５から読み出された映像情報が、再生処理回路４１、Ｄ／Ａ変換器４２を介してビューファインダ４３に供給され、その画面上に再生される。
【００２０】そして、使用者は、このビューファインダー４３の再生画像を見て、フレームメモリ２５に記憶されている映像情報の適否ないし要否を選択する。
【００２１】使用者が再生映像になんらの問題もなく、記録すべしと判断した場合は、使用者は、シャッタリリースキーを２段階目まで押し下げられる。すると、スイッチ３１が接点ｒ側に切り換えられる。ステップＳ４において、これが検知されると、システム制御回路３０からの制御信号Ｓcbにより、圧縮・伸長回路２６が圧縮モードとされると共に、制御信号Ｓccにより、メモリカード１が書込み状態とされる。
【００２２】この状態で、フレームメモリ２５上の映像情報がメモリカード１に転送されて記録される（ステップＳ５）。そして、シャッタリリースキーが解放されると、スイッチ３１の可動接点がｎ接点側に戻されて（ステップＳ６）、１枚のスチル撮影が終わる。」
　
　（エ）「【００２５】上述のように、この実施例では、フレームメモリ２５に一時的に記憶された映像情報をビューファインダ４３の画面上に再生することにより、メモリカード１に最終的に記録する前に、露出の適否や被写体の構図などを確認することができて、撮影した映像情報の取捨選択が可能となり、メモリカード１を有効に使用することができる。」
　
（２）対比
　本願発明と刊行物１に記載された発明（以下「引用発明」という。）とを対比すると以下の対応が認められる。
　（ａ）（画像表示装置を備えた電子カメラ装置）
　刊行物１には、電子スチルカメラに関して、撮像素子２１からの映像情報が、フレームメモリ２５に書き込まれ、このメモリ２５から読み出された映像情報が、液晶表示素子（ビューファインダ）４３に供給され、その画面上に再生画が表示されることが記載されている（前掲記載（ア）〜（ウ）参照）。
　上記記載によれば、刊行物１に記載された「電子スチルカメラ」は、本願発明の「電子カメラ装置」に対応するものである。
　撮像素子２１からの「映像情報」は被写体の映像であるから、「被写体画像」ということができ、「液晶表示素子（ビューファインダ）４３」は、「映像情報」が画面上に表示されるのであるから、「被写体画像を表示する」「画像表示装置」ということができる。
　そうすると、刊行物１記載の「電子スチルカメラ」は、本願発明の「被写体画像を表示する画像表示装置を備えた電子カメラ装置」に相当するということができる。
　しかしながら、本願発明でいう「電子ファインダー機能」は、本願明細書【００１６】〜【００１８】の記載から、ＣＣＤの一定周期毎の１画面分の出力を周期的に表示装置に表示するものであり、これは、シャッターキーの操作の前に視認するための被写体画像を表示する機能（いわゆる電子ファインダーの機能）であるところ、刊行物１は「液晶表示素子（ビューファインダ）４３」について、「ビューファインダ」とはいっているものの、本願発明でいう「電子ファインダー機能」に相当するシャッターキーの操作の前に視認するための被写体画像を表示する機能について記載していない。
　したがって、引用発明の電子カメラ装置（電子スチルカメラ）が備える「画像表示装置」（液晶表示素子（ビューファインダ）４３）は、いわゆる電子ファインダーの機能を備えていないことに対し、本願発明の電子カメラ装置の画像表示装置は「電子ファインダー機能」を有している点で相違している。
　
　（ｂ）（撮像手段、記憶手段、記録手段）
　刊行物１には、撮像系２０には、ＣＣＤ固体撮像素子２１が搭載され、この撮像素子２１から出力されるカラー映像信号は、所定の信号処理が施され、１画面分のデジタル映像信号がフレームメモリ２５に一時的に記憶され、このフレームメモリ２５上の映像情報がメモリカード１に転送されて記録されることが記載されている（前掲記載（ア）〜（エ）参照）。
　上記記載によれば、撮像素子２１から出力されるカラー映像信号は本願発明の被写体画像に相当するから、刊行物１記載の「撮像系２０（固体撮像素子２１）」、「フレームメモリ２５」および「メモリカード１」は、それぞれ本願発明の「被写体画像を出力する撮像手段」、「撮像手段から出力された被写体画像を記憶する記憶手段」および「記憶手段に記憶された被写体画像を記録する記録手段」相当することは明らかである。
　
　（ｃ）（指示手段）
　刊行物１には、２段式のシャッタリリースキーに連動する、３接点切換えスイッチ３１が設けられ、このスイッチ３１は、シャッターリリースキーが押されないとき、接点ｎに接続され、半押しで接点ｍに接続され、最後まで押し込むと、接点ｒに接続されることが記載されており（前掲記載（イ）、（ウ）参照）、スイッチ３１の接点ｍへの接続、スイッチ３１の接点ｒへの接続は、それぞれ下記（ｅ）に述べる動作の起因となっており、そのような動作を指示しているといえるから、上記シャッターリリースキーの半押しでスイッチ３１が接点ｍに接続される仕組み、および、シャッターリリースキーを最後まで押し込むとスイッチ３１が接点ｒに接続される仕組みは、それぞれ「指示手段」ということのできるものである。
　
　（ｄ）（モニタ表示モード、モニタ非表示モード）
　刊行物１記載の液晶表示素子（ビューファインダ）４３は、そのオンオフに関して刊行物１に記載が無いが、本願発明の電子カメラ装置は画像表示装置のオンオフに関するモニタ表示モードとモニタ非表示モードと有している。このため、引用発明は画像表示装置（液晶表示素子（ビューファインダ）４３）のオンオフに関するモニタ表示モードとモニタ非表示モードを有していないところ、本願発明は、「モニタ表示モードとモニタ非表示モードとを選択的に設定するキー入力手段」、「このキー入力手段によりモニタ表示モードとモニタ非表示モードのいずれが設定されているか否かを判別する判別手段」、「この判別手段によりモニタ表示モードが設定されていると判別された場合、前記画像表示装置に前記撮像手段から出力される被写体画像を表示させる第１の制御手段」、「前記判別手段によりモニタ非表示モードが設定されていると判別された場合、前記画像表示装置をオフに維持する第２の制御手段」を有しており、この点で相違している。
　
　（ｅ）（指示手段による指示があった時の動作制御）
　刊行物１には、「シャッタリリースキーを半押しすると、」「撮像素子２１からの１フレーム分の映像情報が、」「フレームメモリ２５に書き込まれ」、「つまり撮像して記録しようとするスチル画がフレームメモリに取り込まれ」、「このメモリ２５から読み出された映像情報が、」「ビューファインダ４３に供給され、その画面上に再生される」という動作が記載されている（前掲記載（ウ）参照）。
　また、「使用者は、このビューファインダー４３の再生画像を見て、フレームメモリ２５に記憶されている映像情報の適否ないし要否を選択」し、「記録すべしと判断した場合は、使用者は、シャッタリリースキーを２段階目（最後）まで押し下げ」ると、「フレームメモリ２５上の映像情報がメモリカード１に転送されて記録される」という動作も記載されている（前掲記載（ウ）参照）。
　刊行物１に明記はないが、これらの動作は当然に制御されて行われるものであり、刊行物１記載の電子スチルカメラはこれらの動作を行う制御手段を有しているということができる。
　
　刊行物１記載の電子スチルカメラにおける上記の「シャッタリリースキーを半押しすると、撮像素子２１からの１フレーム分の映像情報が、フレームメモリ２５に書き込まれ、つまり撮像して記録しようとするスチル画がフレームメモリに取り込まれ、このメモリ２５から読み出された映像情報が、ビューファインダ４３に供給され、画面上に再生される」動作は、本願発明の第３の制御手段のうちの「前記第１の指示手段による指示があった時、前記第１の指示手段による指示時に前記撮像手段から出力され、前記記憶手段に記憶された１画面分の被写体画像を撮影画像として前記画像表示装置に表示させる」ことに相当する。そして、この起因となっている「シャッタリリースキーを半押しする」ことによりスイッチ３１が接点ｍに接続される上記（ｃ）で述べた仕組みは、本願発明の「第１の指示手段」に相当する。
　しかしながら、上記（ｄ）で述べたように、引用発明は画像表示装置（液晶表示素子（ビューファインダ）４３）のオンオフに関するモニタ表示モードとモニタ非表示モードを有していないため、この動作においてもモニタのオンオフに関する制御をしておらず、本願発明の第３の制御手段のうちの「この第２の制御手段により前記画像表示装置がオフに維持されている状態で」「前記画像表示装置をオンにした後、」という構成を有していない。
　
　また、刊行物１記載の電子スチルカメラにおける上記の「使用者は、このビューファインダー４３の再生画像を見て、フレームメモリ２５に記憶されている映像情報の適否ないし要否を選択し、記録すべしと判断した場合は、使用者は、シャッタリリースキーを２段階目（最後）まで押し下げると、フレームメモリ２５上の映像情報がメモリカード１に転送されて記録される」という動作は、本願発明の第４の制御手段の「この第３の制御手段により前記画像表示装置に被写体画像が表示されている状態で前記第２の指示手段による指示があった時、前記第１の指示手段による指示時に前記撮像手段から出力され、前記記憶手段に記憶された１画面分の被写体画像を撮影画像として前記記録手段に記録する」ことに相当する。そして、この起因となっている「シャッタリリースキーを２段階目（最後）まで押し下げる」ことによりスイッチ３１が接点ｒに接続される上記（ｃ）で述べた仕組みは、本願発明の「第２の指示手段」に相当する。
　
　そうしてみると、
　刊行物１記載の電子スチルカメラにおける「シャッタリリースキーを半押しすると、撮像素子２１からの１フレーム分の映像情報が、フレームメモリ２５に書き込まれ、つまり撮像して記録しようとするスチル画がフレームメモリに取り込まれ、このメモリ２５から読み出された映像情報が、ビューファインダ４３に供給され、画面上に再生される」という動作を行わせる制御手段は、本願発明の第３の制御手段に相当し、
　「使用者は、このビューファインダー４３の再生画像を見て、フレームメモリ２５に記憶されている映像情報の適否ないし要否を選択し、記録すべしと判断した場合は、使用者は、シャッタリリースキーを２段階目（最後）まで押し下げると、フレームメモリ２５上の映像情報がメモリカード１に転送されて記録される」という動作を行わせる制御手段は、本願発明の第４の制御手段に相当し、
　「シャッターリリースキーの半押しでスイッチ３１が接点ｍに接続される仕組み」は、本願発明の「第１の指示手段」に相当し、
　「シャッターリリースキーを最後まで押し込むとスイッチ３１が接点ｒに接続される仕組み」は、本願発明の「第２の指示手段」に相当する。
　しかしながら、本願発明の第３の制御手段に相当する引用発明の制御手段は画像表示装置オンオフに関する制御をしていないところ、本願発明の第３の制御手段は「この第２の制御手段により前記画像表示装置がオフに維持されている状態で」「前記画像表示装置をオンにした後、」という構成を有しており、この点で相違している。
　
（３）一致点・相違点
　以上（ａ）ないし（ｅ）の対比によると、本願発明と引用発明との一致点および相違点は、下記のとおりである。
　
　　　　　　　　　　　　記（一致点）
　被写体画像を表示する画像表示装置を備えた電子カメラ装置において、
　被写体画像を出力する撮像手段と、
　この撮像手段から出力された被写体画像を記憶する記憶手段と、
　この記憶手段に記憶された被写体画像を記録する記録手段と、
　第１の指示手段と、
　第２の指示手段と、
　前記第１の指示手段による指示があった時、前記第１の指示手段による指示時に前記撮像手段から出力され、前記記憶手段に記憶された１画面分の被写体画像を撮影画像として前記画像表示装置に表示させる第３の制御手段と、
　この第３の制御手段により前記画像表示装置に被写体画像が表示されている状態で前記第２の指示手段による指示があった時、前記第１の指示手段による指示時に前記撮像手段から出力され、前記記憶手段に記憶された１画面分の被写体画像を撮影画像として前記記録手段に記録する第４の制御手段と、
を備えたことを特徴とする電子カメラ装置。
　
　　　　　　　　　　　　記（相違点）
　相違点１
　引用発明では「画像表示装置」にいわゆる電子ファインダーの機能を備えていないことに対し、本願発明は画像表示装置に「電子ファインダー機能」を有している点。
　
　相違点２
　引用発明は画像表示装置のオンオフに関するモニタ表示モードとモニタ非表示モードを有していないことに対して、本願発明は、「モニタ表示モードとモニタ非表示モードとを選択的に設定するキー入力手段」、「このキー入力手段によりモニタ表示モードとモニタ非表示モードのいずれが設定されているか否かを判別する判別手段」、「この判別手段によりモニタ表示モードが設定されていると判別された場合、前記画像表示装置に前記撮像手段から出力される被写体画像を表示させる第１の制御手段」、「前記判別手段によりモニタ非表示モードが設定されていると判別された場合、前記画像表示装置をオフに維持する第２の制御手段」を有している点。
　
　相違点３
　引用発明の第３の制御手段は画像表示装置のオンオフに関する制御をしていないことに対し、本願発明の第３の制御手段は「この第２の制御手段により前記画像表示装置がオフに維持されている状態で」「前記画像表示装置をオンにした後、」という構成を有している点。
　
（４）各相違点の検討
　相違点１について
　電子カメラ装置において、画像表示装置を、シャッターキーの操作の前に視認するための被写体画像を表示する機能（いわゆる電子ファインダーの機能）を有するものとすることはごく普通に知られた周知・慣用の事項であり（例えば、下記周知例：特開平９−９８３１４号公報参照）、引用発明において、画像表示装置（液晶表示素子）を、「電子ファインダー機能を有する」ものとすることは当業者が適宜に採用できたことである。したがって、相違点１に係る本願発明の構成は、当業者が容易に想到できたことである。
　
　相違点２について
　電子カメラ装置において、モニタのオン、オフを選択すること、つまり、本願発明でいうところの、「モニタ表示モードとモニタ非表示モードとを選択的に設定」することは周知・慣用の事項（例えば、下記周知例：特開平９−９８３１４号公報参照）である。そして、そのような周知・慣用の事項を具体化する際に、オンオフの選択を行うこと、どのような選択が行われているかを判別すること、オンの選択がなされたと判別されたら表示を行わせること、オフの選択がなされたと判別されたらオフとなるようにすること、そのようになす手段を設けることは当然に行うことであるから、引用発明において、上記周知・慣用の事項を採用し、その際、本願発明のように「モニタ表示モードとモニタ非表示モードとに選択的に設定するキー入力手段」と、「このキー入力手段によりモニタ表示モードとモニタ非表示モードのいずれが設定されているか否かを判別する判別手段」と、「この判別手段によりモニタ表示モードが設定されていると判別された場合、画像表示装置に撮像手段から出力される被写体画像を表示させる第１の制御手段」と、「前記判別手段によりモニタ非表示モードが設定されていると判別された場合、前記画像表示装置をオフに維持する第２の制御手段」とを有するように構成することは当業者が適宜になし得たことである。
　したがって、相違点２に係る本願発明の構成は、当業者が容易に想到できたことである。
　
　相違点３について
　引用発明は、画像表示装置（液晶表示素子（ビューファインダ）４３）の再生画像を見て（記録すべきか否かの）適否ないし要否を選択するために、本願発明の第３の制御手段に相当する制御手段において、画像表示装置に表示させるのであるから、上記相違点２で検討したように、引用発明に「モニタ表示モードとモニタ非表示モードとを選択的に設定」する周知・慣用の事項を採用する際に、モニタがオフであれば、再生画像を見るために、画像表示装置をオンにして画像を再生させることは必然的になすことである。
　したがって、上記相違点２に係る構成を採用するにあたって、画像表示装置がオフになっているのであればオンにするために、「この第２の制御手段により前記画像表示装置がオフに維持されている状態で」前記第１の指示手段による指示があった時、「前記画像表示装置をオンにした後」、前記第１の指示手段による指示時に前記撮像手段から出力され、前記記憶手段に記憶された１画面分の被写体画像を撮影画像として前記画像表示装置に表示させるようになすことは当業者が適宜になし得たことである。
　したがって、相違点３に係る本願発明の構成は、当業者が容易に想到できたことである。
　
　総合
　本願発明の相違点１から３に係る構成は、上記したようにそれぞれ当業者が容易に想到できたことであるが、これらを総合してもその効果は引用発明および周知・慣用の事項から当業者が予測できたものである。
　
　　　　　　　　記（周知例）
　特開平９−９８３１４号公報には図面と共に次の記載がある。
「【０００２】
【従来の技術】従来より、光学部材を通して被写体を観察する光学ファインダ手段と、表示画面を目視することで被写体を観察する表示手段（液晶表示手段）とを合わせ持つ撮像装置または撮像システムが提案されている。
【０００３】図３（ａ）、図３（ｂ）に概略図を示す。同図において、１は光学ファインダ手段であり、図示せぬ装置内に、被写体観察のための光学部材を含む。２は液晶表示手段であり、表示画面を有する。３は液晶表示手段の表示画面であり、撮影被写体を表示する。４は操作スイッチであり、その操作により、液晶表示手段２を動作／非動作させる。５は該操作スイッチ４の操作部、６は電源スイッチであり、撮像装置本体を動作／非動作させる。７は撮像装置本体、１１は撮影被写体、１２は撮像方向、１３はファインダ光軸である。
【０００４】図３において、（ａ）は液晶表示手段２の動作時を表わす図であり、（ｂ）は液晶表示手段２の非動作時を表わす図である。
【０００５】そして、図３（ａ）は液晶表示手段２を用いて被写体を観察し、撮像を行う場合の図であり、本体の電源スイッチおよび液晶表示手段の操作スイッチは共にＯＮ位置であり、共に動作状態である。この場合、本体内の図示せぬ撮影光学系で結像された被写体像は、図示せぬ撮像素子により電気信号に変換される。そして、この信号に基づいて液晶表示手段の表示画面へ被写体像が映し出されることになる。撮影者は、液晶表示手段の表示画面に表示された被写体像を観察しながら、任意のタイミングで撮像を行えばよい。
【０００６】なお、この時も光学ファインダ手段は使用可能であり、光学ファインダでの被写体像観察に関して何ら支障はない。
【０００７】また、図３（ｂ）は光学ファインダ手段を用いて被写体を観察し、撮像を行う場合の図であり、本体の電源スイッチはＯＮ位置、液晶表示手段の操作スイッチはＯＦＦ位置であり、表示画面への表示は行われていない。」
　
（５）当審の判断まとめ
　以上によれば、本願発明は、刊行物１に記載された発明及び周知・慣用の事項に基づいて、当業者が容易に発明をすることができたものであり、特許法第２９条第２項の規定により特許を受けることができない。
　
４．むすび
　以上のようであって、本件出願の請求項１に係る発明は、刊行物１に記載された発明及び周知・慣用の事項に基づいて当業者が容易に発明をすることができたものであるから、特許法第２９条第２項の規定により特許を受けることができない。
　したがって、残る請求項２から請求項６までに係る発明について特に検討するまでもなく、本件出願は拒絶をすべきものである。
　よって、結論のとおり審決する。